(57)【要約】【課題】ユーザがカメラを手持ちして撮影する自撮りに代わって、よりＳＮＳ映えする自身の映像を記録できる遠隔操作映像記録装置を提供する。【解決手段】遠隔操作映像記録装置は、予め定められた撮影ポイントに位置するユーザを撮影可能なカメラ装置と、ユーザが操作する操作端末と通信可能な撮影機材と、を備える。撮影機材は、操作端末から受信するカメラ操作信号に基づいてカメラ装置を操作するカメラ操作部と、カメラ装置から映像を取得する映像取得部と、操作端末から受信する映像記録信号に基づいて映像を映像格納部に格納する映像格納制御部と、を有する。【選択図】  図１
2019134375.tif 000002
【特許請求の範囲】
【請求項１】
予め定められた撮影ポイントに位置するユーザを撮影可能なカメラ装置と、
前記ユーザが操作する操作端末と通信可能な撮影機材と、
を備え、
前記撮影機材は、
前記操作端末から受信するカメラ操作信号に基づいて前記カメラ装置を操作するカメラ操作部と、
前記カメラ装置から映像を取得する映像取得部と、
前記操作端末から受信する映像記録信号に基づいて前記映像を映像格納部に格納する映像格納制御部と、
を有する、
ことを特徴とする遠隔操作映像記録装置。
【請求項２】
前記撮影機材は、前記操作端末と近距離無線通信により直接通信可能である
ことを特徴とする請求項１に記載の遠隔操作映像記録装置。
【請求項３】
前記撮影機材は、前記操作端末とインターネットを介して通信可能である
ことを特徴とする請求項１または２に記載の遠隔操作映像記録装置。
【請求項４】
前記カメラ操作部は、前記カメラ操作信号に基づいて、前記カメラ装置のＰＴＺ制御、および／または、前記カメラ装置の絞り、シャッタースピード、フォーカス、ＩＳＯ値のうちの少なくとも一つの撮影条件の設定を行う
ことを特徴とする請求項１〜３のいずれかに記載の遠隔操作映像記録装置。
【請求項５】
前記撮影機材は、前記操作端末から受信する映像加工信号に基づいて、前記映像に映っている前記ユーザの衣装を変更すること、前記映像に映っている前記ユーザの周囲に仮想的な人物またはキャラクタを配置すること、前記映像に映っている前記ユーザの顔を加工すること、のうちの少なくとも一つの処理を行う映像加工部をさらに有する
ことを特徴とする請求項１〜４のいずれかに記載の遠隔操作映像記録装置。
【請求項６】
前記撮影機材は、前記操作端末から受信する映像送信信号に基づいて、前記映像格納部に格納された映像を前記操作端末に送信して保存させること、前記映像格納部に格納された映像をストレージサーバに送信して保存させること、前記映像格納部に格納された映像をプリントサーバに送信して印刷キー情報を前記操作端末に通知させること、前記映像格納部に格納された映像をＳＮＳサーバにアップロードすること、のうちの少なくとも一つの送信処理を行う映像送信部をさらに有する
ことを特徴とする請求項１〜５のいずれかに記載の遠隔操作映像記録装置。
【請求項７】
前記撮影機材は、現金支払機、ＩＣカードリーダ、磁気カードリーダ、各種ポイントまたは仮想通貨の読み取りを行う装置のうちの少なくとも１つを含む決済処理部をさらに有する
ことを特徴とする請求子１〜６のいずれかに記載の遠隔操作映像記録装置。
【請求項８】
前記カメラ装置は、空中に配置可能なカメラ付きドローンである
ことを特徴とする請求項１〜７のいずれかに記載の遠隔操作映像記録装置。
【請求項９】
予め定められた撮影ポイントに位置するユーザを撮影可能なカメラ装置を、前記ユーザが操作する操作端末から受信するカメラ操作信号に基づいて操作するステップと、
前記カメラ装置から映像を取得するステップと、
前記操作端末から受信する映像記録信号に基づいて前記映像を映像格納部に格納するステップと、
を備えた遠隔操作映像記録方法。
【請求項１０】
予め定められた撮影ポイントに位置するユーザを撮影可能なカメラ装置を、前記ユーザが操作する操作端末から受信するカメラ操作信号に基づいて操作するカメラ操作部と、
前記カメラ装置から映像を取得する映像取得部と、
前記操作端末から受信する映像記録信号に基づいて前記映像を映像格納部に格納する映像格納制御部と、
を備えた遠隔操作映像記録装置としてコンピュータを機能させるためのプログラム。
【発明の詳細な説明】
【技術分野】
【０００１】
本発明は、遠隔操作映像記録装置および遠隔操作映像記録方法に関する。
【背景技術】
【０００２】
従来、カーテンで仕切られた撮影ブース内のユーザを、装置本体に内蔵されたカメラにより撮影し、撮影した写真をシールに印刷して出力する写真シール作成装置が知られている（たとえば、特許文献１参照）。このような写真シール作成装置では、通常、ユーザが、装置本体に内蔵されたタッチパネル式のディスプレイを操作して、撮影後の写真に所定のフレームやスタンプ画像を付加して装飾したり、任意の描画（いわゆる落書き）を追加したりできるようになっており、比較的若いユーザ層を中心に広く利用されている。
【０００３】
ところで、近年、スマートフォン等のカメラ付きモバイル端末の普及により、モバイル端末のカメラにて写真を撮影し、撮影した写真をソーシャル・ネットワーキング・サービス（ＳＮＳ）にアップロードして他人との共有を楽しむユーザが増えている。特に観光地やレジャー施設などにおいては、カメラを持った手を前方に伸ばして背景を含めて自分自身を撮影する「自撮り」が多く行われている。自撮りを行う際には、ＳＮＳ上でひときわ映える（いわゆる「ＳＮＳ映え」する）写真となるように、自撮り棒と呼ばれる器具を利用して、背景がより広く映り込むようにして撮影するユーザもいる。
【先行技術文献】
【特許文献】
【０００４】
【特許文献１】特開２０００−０６９４０４号公報
【発明の概要】
【発明が解決しようとする課題】
【０００５】
しかしながら、カメラを手持ちして撮影する自撮りでは、たとえ自撮り棒を利用したとしても、その撮影時の画角には限界があり、背景を十分に広く映り込ませたＳＮＳ映えする写真を撮影することは容易でない。また、よりＳＮＳ映えする写真を撮影しようとするあまり、自撮り中に危険な場所まで移動して高所から落下するなどの事故も後を絶たない。
【０００６】
本発明は、以上のような点を考慮してなされたものである。本発明の目的は、ユーザがカメラを手持ちして撮影する自撮りに代わって、よりＳＮＳ映えする自身の映像を記録できる遠隔操作映像記録装置を提供することにある。
【課題を解決するための手段】
【０００７】
本発明の第１の態様に係る遠隔操作映像記録装置は、
予め定められた撮影ポイントに位置するユーザを撮影可能なカメラ装置と、
前記ユーザが操作する操作端末と通信可能な撮影機材と、
を備え、
前記撮影機材は、
前記操作端末から受信するカメラ操作信号に基づいて前記カメラ装置を操作するカメラ操作部と、
前記カメラ装置から映像を取得する映像取得部と、
前記操作端末から受信する映像記録信号に基づいて前記映像を映像格納部に格納する映像格納制御部と、
を有する。
【０００８】
このような態様によれば、ユーザは、予め定められた撮影ポイントにて操作端末を操作するだけで、操作端末から離れて位置するカメラ装置を利用して自身の映像を撮影して記録することができる。これにより、カメラを手持ちして撮影する自撮りに比べて、背景を十分に広く映り込ませることができ、よりＳＮＳ映えする映像を容易に撮影することができる。また、ユーザは予め定められた撮影ポイントからカメラ装置を遠隔操作して撮影を行うため、自撮りのように危険な場所まで移動して高所から落下するなどの事故が起こることを防止できる。
【０００９】
本発明の第２の態様に係る遠隔操作映像記録装置は、第１の態様に係る遠隔操作映像記録装置であって、
前記撮影機材は、前記操作端末と近距離無線通信により直接通信可能である。
【００１０】
このような態様によれば、たとえば撮影ポイントがユーザの操作端末の圏外にあって操作端末からインターネットに接続できない状況であったり、カメラ装置の操作に遅延が許されない状況であっても、近距離無線通信により撮影機材と直接通信することで、撮影ポイントに位置するユーザはカメラ装置を利用して撮影を行うことができる。
【００１１】
本発明の第３の態様に係る遠隔操作映像記録装置は、第１の態様に係る遠隔操作映像記録装置であって、
前記撮影機材は、前記操作端末とインターネットを介して通信可能である。
【００１２】
このような態様によれば、撮影機材を、近距離無線通信の通信範囲内に限られることなく任意の位置に設置できる。
【００１３】
本発明の第４の態様に係る遠隔操作映像記録装置は、第１〜３のいずれかの態様に係る遠隔操作映像記録装置であって、
前記カメラ操作部は、前記カメラ操作信号に基づいて、前記カメラ装置のＰＴＺ制御、および／または、前記カメラ装置の絞り、シャッタースピード、フォーカス、ＩＳＯ値のうちの少なくとも一つの撮影条件の設定を行う。
【００１４】
このような態様によれば、たとえばカメラ装置がユーザの手が届く範囲より離れて設置されていても、ユーザが撮影ポイントにいたまま操作端末を操作するだけで、カメラ装置のレンズの向きや絞りなどの撮影条件を所望の値に変更することができ、よりＳＮＳ映えする自身の映像を撮影することが可能となる。
【００１５】
本発明の第５の態様に係る遠隔操作映像記録装置は、第１〜４のいずれかの態様に係る遠隔操作映像記録装置であって、
前記撮影機材は、前記操作端末から受信する映像加工信号に基づいて、前記映像に映っている前記ユーザの衣装を変更すること、前記映像に映っている前記ユーザの周囲に仮想的な人物またはキャラクタを配置すること、前記映像に映っている前記ユーザの顔を加工すること、のうちの少なくとも一つの処理を行う映像加工部をさらに有する。
【００１６】
このような態様によれば、例えば撮影ポイントに関連する装飾を撮影した映像に付与することが可能となり、撮影ポイントを訪れた記念写真のような、よりＳＮＳ映えする映像を作成することができる。
【００１７】
本発明の第６の態様に係る遠隔操作映像記録装置は、第１〜５のいずれかの態様に係る遠隔操作映像記録装置であって、
前記撮影機材は、前記操作端末から受信する映像送信信号に基づいて、前記映像格納部に格納された映像を前記操作端末に送信して保存させること、前記映像格納部に格納された映像をストレージサーバに送信して保存させること、前記映像格納部に格納された映像をプリントサーバに送信して印刷キー情報を前記操作端末に通知させること、前記映像格納部に格納された映像をＳＮＳサーバにアップロードすること、のうちの少なくとも一つの送信処理を行う映像送信部をさらに有する。
【００１８】
本発明の第７の態様に係る遠隔操作映像記録装置は、第１〜６のいずれかの態様に係る遠隔操作映像記録装置であって、
前記撮影機材は、現金支払機、ＩＣカードリーダ、磁気カードリーダ、各種ポイントまたは仮想通貨の読み取りを行う装置のうちの少なくとも１つを含む決済処理部をさらに有する。
【００１９】
このような態様によれば、遠隔操作映像記録装置を管理する事業者は、ユーザからの利用料金を、人手を介さずに受け取ることができる。
【００２０】
本発明の第８の態様に係る遠隔操作映像記録装置は、第１〜７のいずれかの態様に係る遠隔操作映像記録装置であって、
前記カメラ装置は、空中に配置可能なカメラ付きドローンである。
【００２１】
このような態様によれば、空中からの撮影が可能となるため、たとえば「清水の舞台」など、自撮りでは背景を効果的に映り込ませることが難しい撮影ポイントであっても、背景を効果的に映り込ませることができ、よりＳＮＳ映えする映像を撮影できるようになる。
【００２２】
本発明の第９の態様に係る遠隔操作映像記録方法は、
予め定められた撮影ポイントに位置するユーザを撮影可能なカメラ装置を、前記ユーザが操作する操作端末から受信するカメラ操作信号に基づいて操作するステップと、
前記カメラ装置から映像を取得するステップと、
前記操作端末から受信する映像記録信号に基づいて前記映像を映像格納部に格納するステップと、
を備える。
【００２３】
本発明の第１０の態様に係るプログラムは、
予め定められた撮影ポイントに位置するユーザを撮影可能なカメラ装置を、前記ユーザが操作する操作端末から受信するカメラ操作信号に基づいて操作するカメラ操作部と、
前記カメラ装置から映像を取得する映像取得部と、
前記操作端末から受信する映像記録信号に基づいて前記映像を映像格納部に格納する映像格納制御部と、
を備えた遠隔操作映像記録装置としてコンピュータを機能させるためのプログラムである。
【発明の効果】
【００２４】
本発明によれば、ユーザは、カメラを手持ちして撮影する自撮りに代わって、よりＳＮＳ映えする自身の映像を記録することができる。
【図面の簡単な説明】
【００２５】
【図１】図１は、一実施の形態に係る遠隔操作映像記録装置を含む情報処理システムの概略的な構成を示す図である。
【図２】図２は、撮影機材と操作端末の内部構成を示すブロック図である。
【図３】図３は、撮影機材の制御部の構成を説明するためのブロック図である。
【図４】図４は、遠隔操作映像記録装置の動作の一例を示すフローチャートである。
【発明を実施するための形態】
【００２６】
以下に、添付の図面を参照して、本発明の実施の形態を詳細に説明する。なお、各図において同等の機能を有する構成要素には同一の符号を付し、同一符号の構成要素の詳しい説明は繰り返さない。また、各図において、各機能を行う機能部は、それぞれ各機能を行う手段ということができる。
【００２７】
一実施の形態に係る遠隔操作映像記録装置を含む情報処理システムの構成について説明する。図１は、遠隔操作映像記録装置１０を含む情報処理システム１の概略的な構成を示す図である。
【００２８】
図１に示すように、情報処理システム１は、撮影機材２とカメラ装置３とを有する遠隔操作映像記録装置１０と、操作端末４と、ユーザ管理サーバ６と、ＳＮＳサーバ７と、ストレージサーバ８と、プリントサーバ９とを備えている。撮影機材２と操作端末４と各サーバ６〜９とは、インターネット５等のネットワークを介して互いに通信可能に接続されている。なお、撮影機材２と操作端末４と各サーバ６〜９の少なくとも一部は、コンピュータにより実現される。
【００２９】
このうちユーザ管理サーバ６は、たとえばクラウド型のサーバであり、遠隔操作映像記録装置１０を利用するためのアプリケーションプログラム（以下、「アプリ」という）を操作端末４に配信するサービスや、配信したアプリを介して登録されたユーザ情報を管理するサービス、登録されたユーザが撮影した映像データを蓄積するサービスなどを提供する。
【００３０】
ＳＮＳサーバ７は、フェイスブック、インスタグラム、ツイッターなどのソーシャル・ネットワーキング・サービスを提供するものであり、たとえば、クラウド型のサーバである。ストレージサーバ８は、撮影機材２から送信された映像データを蓄積するクラウド型のサーバである。
【００３１】
プリントサーバ９は、撮影機材２から送信された映像データを一定期間保管するとともに、当該映像データに対応する印刷キー情報を操作端末４に通知する。ユーザが操作端末４に通知された印刷キー情報をコンビニエンスストアなどに設置されたネットワークプリンタに入力すると、当該印刷キー情報に対応する映像データがプリントサーバ９からネットワークプリンタへと送信され、当該ネットワークプリンタにおいて映像データが写真用紙などに印刷されて出力される。
【００３２】
なお、本実施の形態において、ＳＮＳサーバ７、ストレージサーバ８、プリントサーバ９は、いずれも既存のものであってよく、詳細な説明は省略する。
【００３３】
図１に示すように、カメラ装置３は、予め定められた撮影ポイント１１に位置するユーザを撮影可能なものであれば、特に限定されるものではなく、既存のネットワークカメラであってもよい。カメラ装置３としては、たとえば、ＰＴＺカメラ３ａやネットワーク対応一眼レフカメラ３ｂ、ＵＳＢ接続の一眼レフカメラ３ｃ、ＵＳＢ接続のＷＥＢカメラ３ｄなどが用いられる。カメラ装置３は一台であってもよいし、複数台であってもよい。カメラ装置３は、望遠レンズ、魚眼レンズ、高感度センサ、フルサイズセンサなどの機能を備えていてもよい。また、撮影ポイント１１は屋外であってもよいし、屋内であってもよい。
【００３４】
カメラ装置３は、後述する撮影機材２に内蔵されていてもよいし、通信ケーブルを介して撮影機材２に外付けされていてもよい。あるいは、カメラ装置３は、撮影機材２から分離して配置されており、撮影機材２とは無線通信可能であってもよい。
【００３５】
カメラ装置３が撮影機材２と無線通信可能である場合、カメラ装置３は、空中に配置可能なカメラ付きドローンであってもよい。この場合、空中からの撮影が可能となるため、たとえば「清水の舞台」など、自撮りでは背景を効果的に映り込ませることが難しい撮影ポイントであっても、背景を効果的に映り込ませることができ、よりＳＮＳ映えする映像を撮影できるようになる。
【００３６】
図２は、撮影機材２と操作端末４の内部構成を示すブロック図である。
【００３７】
図２に示すように、撮影機材２は、制御部２０と、操作端末通信部２１と、カメラ装置通信部２２と、インターネット通信部２３と、ユーザ入力部２４と、画面表示部２５と、音声出力部２６と、映像格納部２８と、決済処理部２９とを有している。
【００３８】
このうち操作端末通信部２１は、撮影機材２と操作端末４との間の通信インターフェースである。本実施の形態では、操作端末通信部２１は、近距離無線通信により撮影機材２と操作端末４との間で情報を直接送受信する。近距離無線通信としては、たとえばＮＦＣやＢｌｕｅｔｏｏｔｈ（登録商標）、Ｗｉ−Ｆｉなどが利用される。
【００３９】
カメラ装置通信部２２は、カメラ装置３と撮影機材２との間の通信インターフェースである。カメラ装置通信部２２は、たとえばＵＳＢケーブルや無線ＬＡＮ等の通信回線を介して撮影機材２とカメラ装置３との間で情報を送受信する。
【００４０】
インターネット通信部２３は、撮影機材２とインターネット５との間の通信インターフェースである。インターネット通信部２３は、インターネット５を介して撮影機材２と各サーバ６〜９ないし操作端末４との間で情報を送受信する。撮影機材２とインターネット５との間の通信回線は、有線回線と無線回線のいずれでもよく、回線の種類や形態は問わない。
【００４１】
制御部２０は、撮影機材２の各種処理を行う制御手段である。図３は、制御部２０の構成を示すブロック図である。
【００４２】
図３に示すように、制御部２０は、カメラ操作部２０ａと、映像取得部２０ｂと、映像加工部２０ｃと、映像格納制御部２０ｄと、映像送信部２０ｅと、決済処理制御部２０ｆとを有している。これらの各部２０ａ〜２０ｆは、撮影機材２のプロセッサが所定のプログラムを実行することにより実現されてもよいし、ハードウェアで実装されてもよい。
【００４３】
カメラ操作部２０ａは、操作端末４から受信するカメラ操作信号に基づいてカメラ装置３を操作する。具体的には、たとえば、カメラ操作部２０ａは、操作端末４からのカメラ操作信号に基づいて、カメラ装置３のＰＴＺ制御、および／または、カメラ装置３の絞り、シャッタースピード、フォーカス、ＩＳＯ値のうちの少なくとも一つの撮影条件の設定を行う。
【００４４】
映像取得部２０ｂは、カメラ装置３から撮影した映像データを取得する。
【００４５】
映像加工部２０ｃは、操作端末４から受信する映像加工信号に基づいて、カメラ装置３から取得した映像データを加工する。映像加工部２０ｃは、ＧＰＵ（Ｇｒａｐｈｉｃｓ  Ｐｒｏｃｅｓｓｉｎｇ  Ｕｎｉｔ）により実現されてもよい。
【００４６】
一例として、映像加工部２０ｃは、操作端末４から受信する映像加工信号に基づいて、カメラ装置３から取得した映像に映っているユーザの衣装を、３Ｄマッピング技術などを利用して変更してもよい。具体的には、たとえば、撮影ポイント１１が特定の時代（江戸時代など）に関連する観光地である場合には、映像加工部２０ｃは、操作端末４からの映像加工信号に基づいて、映像に映っているユーザの衣装をその時代の衣装（着物や羽織袴など）に変更してもよい。
【００４７】
別の一例として、映像加工部２０ｃは、操作端末４から受信する映像加工信号に基づいて、カメラ装置３から取得した映像に映っているユーザの周囲に仮想的な人物またはキャラクタを配置してもよい。具体的には、たとえば、撮影ポイント１１が特定の時代（江戸時代など）に関連する観光地である場合には、映像加工部２０ｃは、操作端末４からの映像加工信号に基づいて、映像に映っているユーザの周囲にその時代の歴史的人物を配置してもよい。また、映像加工部２０ｃは、操作端末４からの映像加工信号に基づいて、映像に映っているユーザの周囲にその撮影ポイント１１に関連するマスコットキャラクタ（いわゆる「ご当地キャラクタ」）を配置してもよい。
【００４８】
さらに別の一例として、映像加工部２０ｃは、操作端末４から受信する映像加工信号に基づいて、カメラ装置３から取得した映像に映っているユーザの顔を加工してもよい。具体的には、たとえば、撮影ポイント１１が特定の時代（江戸時代など）に関連する観光地である場合には、映像に映っているユーザの顔にその時代に関連する装飾（ちょんまげなど）を付加してもよい。
【００４９】
さらに別の一例として、映像加工部２０ｃは、操作端末４から受信する映像加工信号に基づいて、カメラ装置３から取得した映像に、撮影ポイント１１に関連する記念フレームを付加してもよい。
【００５０】
なお、映像加工部２０ｃが映像加工時に利用する素材データ（衣装の画像、仮想的な人物やキャラクタの画像、顔加工用の画像、記念フレームの画像など）は、後述する映像格納部２８に格納されていてもよいし、外部のサーバ（たとえばユーザ管理サーバ６）に格納されていてもよい。
【００５１】
映像格納制御部２０ｄは、操作端末４から受信する映像記録信号に基づいて、カメラ装置３から取得した映像データないし映像加工部２０ｃにより加工された映像データを映像格納部２７に格納する。映像格納制御部２０ｄは、操作端末４からの映像記録信号に基づいて、その瞬間の映像データを映像格納部２７に格納してもよいし、タイマー撮影のように所定時間経過後の映像データを映像格納部２７に格納してもよい。あるいは、映像格納制御部２０ｄは、操作端末４からの映像記録信号に基づいて、連続撮影のように連続する複数の瞬間の映像データを映像格納部２７に格納してもよい。
【００５２】
映像送信部２０ｅは、操作端末４から受信する映像送信信号に基づいて、映像格納部２７に格納された映像データを撮影機材２の外部に送信する。具体的には、たとえば、映像送信部２０ｅは、操作端末４からの映像送信信号に基づいて、映像格納部２８に格納された映像を操作端末４に送信して保存させてもよいし、ストレージサーバ８に送信して保存させてもよいし、プリントサーバ９に送信して印刷キー情報を操作端末４に通知させてもよいし、ＳＮＳサーバ７にアップロードしてもよい。映像送信部２０ｅは、映像データをその場で写真用紙に印刷するのではなく、撮影機材２の外部に送信するため、遠隔操作映像記録装置１０を管理する事業者は、撮影機材２に定期的に写真用紙を補充する必要が無い。
【００５３】
決済処理制御部２０ｆは、撮影費用の決済処理を行う。具体的には、たとえば、決済処理制御部２０ｆは、後述する決済処理部２９を介して、ユーザからカメラ装置３の利用料金の支払いをその場で受け取ってもよい。あるいは、決済処理制御部２０ｆは、操作端末４のアプリを介してユーザ管理サーバ６に予め登録されたクレジットカードや各種ＳＮＳが提供するポイント（ＬＩＮＥコイン、Ｙａｈｏｏマネーなど）、本件アプリ独自のポイント、電子マネー、仮想通貨などに課金を行ってもよい。
【００５４】
図２に戻って、映像格納部２７は、たとえばハードディスクやＳＳＤ（半導体ドライブ）などの固定型データストレージである。映像格納部２７には、映像格納制御部２０ｄの処理に応じて、カメラ装置３から取得した映像データないし映像加工部２０ｃにより加工された映像データが記憶される。映像格納部２７に格納される映像データは、静止画像と動画像のいずれでもよい。映像格納部２７には制御部２０が取り扱う映像データ以外の各種データが記憶されてもよい。
【００５５】
ユーザ入力部２４は、ユーザが撮影機材２に情報を直接入力するためのインターフェースであり、たとえばタッチパネルや、キーボード、操作ボタン、ジョイスティックまたはマイクロフォンなどである。
【００５６】
画面表示部２５は、撮影機材２からユーザに対して、カメラ装置３から取得した映像や各種情報を視覚的に出力するインターフェースであり、たとえば液晶ディスプレイや有機ＥＬディスプレイなどである。画面表示部２５は、ユーザからの操作を受け付けるためのグラフィカルユーザインタフェース（ＧＵＩ）を表示してもよい。
【００５７】
音声出力部２６は、撮影機材２からユーザに対して各種情報を音で出力するインターフェースであり、たとえばスピーカである。音声出力部２６は、たとえば処理受付時の効果音や操作ガイドの音声を出力する。
【００５８】
決済処理部２９は、ユーザからカメラ装置３の利用料金の支払いを受け付けるインターフェースであり、たとえば現金支払機、クレジットカードや電子マネーカードを読み取るＩＣカードリーダ、磁気コードリーダ、各種ポイントや仮想通貨の読み取りを行う装置（たとえばＱＲコードリーダなどの二次元コードリーダなど）のうちの少なくとも１つを含んでいる。
【００５９】
次に、操作端末４について説明する。操作端末４は、ユーザが使用するものであり、たとえば、スマートフォンやタブレット端末などのモバイル端末である。
【００６０】
図２に示すように、操作端末４は、端末制御部４０と、撮影機材通信部４１と、インターネット通信部４２と、ユーザ入力部４３と、画面表示部４４と、音声出力部４５と、映像格納部４６とを有している。
【００６１】
このうち撮影機材通信部４１は、操作端末４と撮影機材２との間の通信インターフェースである。本実施の形態では、撮影機材通信部４１は、上述した近距離無線通信により操作端末４と撮影機材２との間で情報を直接送受信する。
【００６２】
インターネット通信部４２は、操作端末４とインターネット５との間の通信インターフェースである。インターネット通信部４２は、インターネット５を介して撮影機材２と各サーバ６〜９ないし撮影機材２との間で情報を送受信する。
【００６３】
端末制御部４０は、操作端末４の各種処理を行う制御手段である。端末制御部４０は、操作端末４内のプロセッサが所定のプログラムを実行することにより実現されてもよいし、ハードウェアで実装されてもよい。
【００６４】
映像格納部４６は、たとえば内蔵メモリや外部メモリ（ＳＤメモリカード等）などのデータストレージである。映像格納部４６には、端末制御部４０が取り扱う各種データが記憶されてもよい。映像格納部４６は、必ずしも操作端末４内に設けられていなくてもよく、インターネット５を介して操作端末４と通信可能に接続された別の装置内に設けられていてもよい。
【００６５】
ユーザ入力部４３は、ユーザが操作端末４に情報を入力するためのインターフェースであり、たとえばタッチパネルやマイクロフォンなどである。
【００６６】
画面表示部４４は、操作端末４からユーザに対して、映像格納部４６に格納した映像や各種情報を視覚的に出力するインターフェースであり、たとえば液晶ディスプレイや有機ＥＬディスプレイなどである。画面表示部４４は、ユーザからの操作を受け付けるためのグラフィカルユーザインタフェース（ＧＵＩ）を表示してもよい。
【００６７】
音声出力部４５は、操作端末４からユーザに対して各種情報を音で出力するインターフェースであり、たとえばスピーカである。音声出力部４５は、たとえば処理受付時の効果音や操作ガイドの音声を出力する。
【００６８】
次に、このような構成からなる遠隔操作映像記録装置１０の動作の一例について説明する。図４は、遠隔操作映像記録装置１０の動作の一例を示すフローチャートである。
【００６９】
まず、遠隔操作映像記録装置１０を利用して自身の映像を撮影したいユーザは、予め定められた撮影ポイント１１へと移動する。ユーザは、操作端末４のアプリにより画面表示部４４に表示される地図画像上の案内を見て撮影ポイント１１へと移動してもよいし、実際の観光地などにおいて撮影ポイント１１の周囲に設置された看板や標識、撮影者の順番待ちの列などを見て撮影ポイント１１へと移動してもよい。撮影ポイント１１に到達したユーザは、操作端末４を操作して、カメラ装置３の利用要求信号を、撮影機材１１に送信する。
【００７０】
図４に示すように、撮影機材２は、ユーザが所持する操作端末４から、操作端末４の位置情報を含むカメラ装置３の利用要求信号を受信する（ステップＳ１０）。本実施の形態では、撮影機材２は、カメラ装置３の利用要求信号を、操作端末４から近距離無線通信により直接受信する。
【００７１】
撮影機材２は、カメラ装置３の利用要求信号を受信すると、それに含まれる操作端末４の位置情報に基づいて、ユーザの位置が予め定められた撮影ポイント１１と一致するか否かを判定する（ステップＳ１１）。ユーザの位置が所定の撮影ポイント１１と一致しないと判定された場合には（ステップＳ１１：ＮＯ）、撮影機材２はカメラ装置３の利用権限を操作端末４に付与せず、処理を終了する。
【００７２】
一方、ユーザの位置が所定の撮影ポイント１１と一致すると判定された場合には（ステップＳ１１：ＹＥＳ）、撮影機材２はカメラ装置３の利用権限を操作端末４に付与する。これにより、カメラ装置３は一時的にユーザにレンタルされた状態となる。そして、撮影機材２の映像取得部２０ｂは、カメラ装置３から取得する映像データを、操作端末４に送信する（ステップＳ１２）。操作端末４は、撮影機材２から受信する映像データを画面表示部４４に表示する。
【００７３】
次に、撮影機材２は、操作端末４からカメラ操作信号を受信できるか否かを判定する（ステップＳ１３）。操作端末４からカメラ操作信号を受信できない場合には（ステップＳ１３：ＮＯ）、後述するステップＳ１５へ移行する。
【００７４】
一方、操作端末４からカメラ操作信号を受信できる場合には（ステップＳ１３：ＹＥＳ）、撮影機材２のカメラ操作部２０ａは、撮影機材２から受信するカメラ操作信号に基づいて、カメラ装置３を操作する（ステップＳ１４）。具体的には、たとえば、カメラ操作部２０ａは、撮影機材２から受信するカメラ操作信号に基づいて、カメラ装置３のＰＴＺ制御、および／または、カメラ装置３の絞り、シャッタースピード、フォーカス、ＩＳＯ値のうちの少なくとも一つの撮影条件の設定を行う。
【００７５】
次に、撮影機材２は、操作端末４から映像加工信号を受信できるか否かを判定する（ステップＳ１５）。操作端末４から映像加工信号を受信できない場合には（ステップＳ１５：ＮＯ）、後述するステップＳ１７へ移行する。
【００７６】
一方、操作端末４から映像加工信号を受信できる場合には（ステップＳ１５：ＹＥＳ）、撮影機材２の映像加工部２０ｃは、操作端末４から受信する映像加工信号に基づいて、映像に映っているユーザの衣装を、３Ｄマッピング技術などを利用して変更すること、映像に映っているユーザの周囲に仮想的な人物またはキャラクタを配置すること、映像に映っているユーザの顔を加工すること、のうちの少なくとも一つの映像加工処理を行う（ステップＳ１６）。
【００７７】
次に、撮影機材２は、操作端末４から映像記録信号を受信できるか否かを判定する（ステップＳ１７）。操作端末４から映像記録信号を受信できない場合には（ステップＳ１７：ＮＯ）、上述したステップＳ１２に処理を戻す。
【００７８】
一方、操作端末４から映像記録信号を受信できる場合には（ステップＳ１７：ＹＥＳ）、撮影機材２の映像格納制御部２０ｄは、操作端末４から受信する映像記録信号に基づいて、カメラ装置３から取得した映像データないし映像加工部２０ｃにより加工された映像データを、映像格納部２８に格納する（ステップＳ１８）。
【００７９】
次に、撮影機材２の映像送信部２０ｅは、操作端末４から受信する映像送信信号に基づいて、（ａ）映像格納部２８に格納された映像を操作端末４に送信して保存させること、（ｂ）映像格納部２８に格納された映像をストレージサーバ８に送信して保存させること、（ｃ）映像格納部２８に格納された映像をプリントサーバ９に送信して印刷キー情報を操作端末４に通知させること、（ｄ）映像格納部２８に格納された映像をＳＮＳサーバ７にアップロードすること、のうちの少なくとも一つの送信処理を行う（ステップＳ１９）。
【００８０】
その後、撮影機材２は、撮影費用の決済処理を行う（ステップＳ２０）。具体的には、たとえば、撮影機材２の決済処理制御部２０ｆは、決済処理部２９を介して、ユーザからカメラ装置３の利用料金の支払いをその場で受け付ける。あるいは、決済処理制御部２０ｆは、操作端末４のアプリを介してユーザ管理サーバ６に予め登録されたクレジットカードや各種ＳＮＳが提供するポイント、本件アプリ独自のポイント、電子マネー、仮想通貨などに課金を行ってもよい。そして、撮影費用の決済処理が完了したのち、撮影機材２は、操作端末４に対するカメラ装置３の利用権限の付与を解消するとともに、映像格納部２８に格納された映像データを消去する。
【００８１】
以上のような本実施の形態によれば、ユーザは、予め定められた撮影ポイント１１にて操作端末４を操作するだけで、操作端末４から離れて位置するカメラ装置３を利用して自身の映像を撮影して記録することができる。これにより、カメラを手持ちして撮影する自撮りに比べて、背景を十分に広く映り込ませることができ、よりＳＮＳ映えする映像を容易に撮影することができる。また、ユーザは予め定められた撮影ポイント１１からカメラ装置３を遠隔操作して撮影を行うため、自撮りのように危険な場所まで移動して高所から落下するなどの事故が起こることを防止できる。
【００８２】
また、本実施の形態によれば、撮影機材２が操作端末４と近距離無線通信により直接通信可能であるため、たとえば撮影ポイント１１がユーザの操作端末４の圏外にあって操作端末４からインターネット５に接続できない状況であったり、カメラ付きドローンのようにカメラ装置３の操作に遅延が許されない状況であっても、近距離無線通信により撮影機材２と直接通信することで、撮影ポイント１１に位置するユーザはカメラ装置３を利用して撮影を行うことができる。
【００８３】
また、本実施の形態によれば、カメラ操作部２２ａが、操作端末４から受信するカメラ操作信号に基づいて、カメラ装置３のＰＴＺ制御、および／または、カメラ装置３の絞り、シャッタースピード、フォーカス、ＩＳＯ値のうちの少なくとも一つの撮影条件の設定を行うため、たとえばカメラ装置３がユーザの手が届く範囲より離れて設置されていても、ユーザが撮影ポイント１１にいたまま操作端末４を操作するだけで、カメラ装置３のレンズの向きや絞りなどの撮影条件を所望の値に変更することができ、よりＳＮＳ映えする自身の映像を撮影することが可能となる。
【００８４】
また、本実施の形態によれば、映像加工部２２ｃが、操作端末４から受信する映像加工信号に基づいて、映像に映っているユーザの衣装を変更すること、映像に映っているユーザの周囲に仮想的な人物またはキャラクタを配置すること、映像に映っているユーザの顔を加工すること、のうちの少なくとも一つの処理を行うため、例えば撮影ポイント１１に関連する装飾を撮影した映像に付与することが可能となり、撮影ポイントを訪れた記念写真のような、よりＳＮＳ映えする映像を作成することができる。
【００８５】
また、本実施の形態によれば、決済処理部２９が、現金支払機、ＩＣカードリーダ、ＱＲコードリーダのうちの少なくとも１つを含むため、遠隔操作映像記録装置１０を管理する事業者は、ユーザからの利用料金を、人手を介さずに受け取ることができる。
【００８６】
なお、上述した実施の形態では、撮影機材２が操作端末４と近距離無線通信により直接通信可能であったが、これに限定されず、撮影機材２は操作端末４とインターネット５を介して通信可能であってもよい。この場合、撮影機材を、近距離無線通信の通信範囲内に限られることなく任意の位置に設置できる。
【００８７】
なお、上述した実施の形態および個々の変形例の記載ならびに図面の開示は、特許請求の範囲に記載された発明を説明するための一例に過ぎず、上述した実施の形態および個々の変形例の記載または図面の開示によって特許請求の範囲に記載された発明が限定されることはない。上述した実施の形態および個々の変形例の構成要素は、発明の主旨を逸脱しない範囲で任意に組み合わせることが可能である。
【００８８】
また、本実施の形態に係る遠隔操作映像記録装置の撮影機材はコンピュータシステムによって構成され得るが、コンピュータシステムに撮影機材を実現させるためのプログラム及び当該プログラムを記録した記録媒体も、本件の保護対象である。
【符号の説明】
【００８９】
１      情報処理システム
１０    遠隔操作情報記録装置
１１    撮影ポイント
２      撮影機材
２０    制御部
２０ａ  カメラ操作部
２０ｂ  映像取得部
２０ｃ  映像加工部
２０ｄ  映像格納制御部
２０ｅ  映像送信部２０ｆ  決済処理制御部
２１    操作端末通信部
２２    カメラ装置通信部
２３    インターネット通信部
２４    ユーザ入力部
２５    画面表示部
２６    音声出力部
２８    映像格納部
２９    決済処理部
３      カメラ装置
３ａ    ＰＴＺカメラ
３ｂ    ネットワーク対応一眼レフカメラ
４      操作端末
４０    制御部
４１    撮影機材通信部
４２    インターネット通信部
４３    ユーザ入力部
４４    画面表示部
４５    音声出力部
４６    映像格納部
５      インターネット
６      ユーザ管理サーバ
７      ＳＮＳサーバ
８      ストレージサーバ
９      プリントサーバ
【図１】
2019134375.tif 000003
【図２】
2019134375.tif 000004
【図３】
2019134375.tif 000005
【図４】
2019134375.tif 000006